(57)【要約】【課題】長期にわたり安定的に遠赤外線効果を発揮可能な美容器を提供すること。【解決手段】美容器１は、ハンドル２０と、ハンドル２０から突出する支持軸５０と、炭素成形体である回転体１０とを有し、回転体１０には支持軸５０が挿入される窪み１１０が形成されている。回転体に貫通孔が形成されておらず、肌の接触部分付近に開口がないので、内部に異物が侵入しにくい。炭素成形体である回転体が滑らかに回転し続けられるので、遠赤外線効果を含む美容効果を長期にわたって得ることが可能になる。【選択図】図６
2018171333.tif 000002
【特許請求の範囲】
【請求項１】
ハンドルと、
前記ハンドルから突出する支持軸と、
炭素成形体である回転体とを有し、
前記回転体には前記支持軸が挿入される窪みが形成されていることを特徴とする美容器。
【請求項２】
前記窪みに固定されて、前記支持軸が取り付けられる軸ホルダを有することを特徴とする請求項１に記載の美容器。
【請求項３】
前記支持軸とともに前記軸ホルダに取り付けられる軸受けと、
前記軸受けを貫通して突出する前記支持軸の端部に取り付けられる抜け止め部材と、を有することを特徴とする請求項２に記載の美容器。
【請求項４】
前記軸受けは、外周面から突出する係止爪を有し、
前記軸ホルダは、前記係止爪を係止する係止部を有する
ことを特徴とする請求項３に記載の美容器。
【請求項５】
前記軸ホルダおよび前記軸受けは、回転軸方向における位置が異なる複数箇所で互いに接触することを特徴とする請求項４に記載の美容器。
【請求項６】
ハンドルと、
それぞれ前記ハンドルの一端側から突出する第１支持軸および第２支持軸と、
前記第１支持軸に取り付けられる第１回転体と、
前記第２支持軸に取り付けられる第２回転体とを有し、
前記第１回転体および第２回転体は、球状に形成された炭素成形体であり、
前記第１支持軸および第２支持軸は、前記ハンドルから離れるほど間隔が広くなるように設けられていることを特徴とする美容器。
【請求項７】
それぞれ前記ハンドルの他端側から突出する第３および第４支持軸と、
前記第３支持軸に取り付けられる第３回転体と、
前記第４支持軸に取り付けられる第４回転体とをさらに有し、
前記第３回転体および第４回転体は、球状に形成された炭素成形体であり、
前記第３支持軸および第４支持軸は、ハンドルから離れるほど間隔が広くなるように設けられていることを特徴とする請求項６に記載の美容器。
【発明の詳細な説明】
【技術分野】
【０００１】
本発明は、肌に美容効果を与える美容器に関する。
【背景技術】
【０００２】
回転体、すなわちローラを肌にあてて転がす美容器が知られている。顔に使用すると、あご周りのフェイスラインが引き締まり、リフトアップ効果が実感できる。より積極的に、リンパマッサージの要領で使えば、老廃物の排出が促進され、新陳代謝が上がり、肌艶を改善できる。脚に使えばむくみやセルライトもとれやすく、とりわけ女性には嬉しい効果である。
【０００３】
ローラを炭素で形成し、遠赤外線効果を利用する製品もある。遠赤外線は体表付近の血行を促進し、時間の経過とともに全身を温める。特許文献１にはそうした製品が開示されている。
【先行技術文献】
【特許文献】
【０００４】
【特許文献１】実用新案登録第３１９４０３３号公報
【発明の概要】
【発明が解決しようとする課題】
【０００５】
美容器の利用者の多くは女性である。美を意識する女性は、当然、自分を引き立たせる化粧にも気を遣う。洗顔の後、化粧水、乳液かクリーム、季節によっては日焼け止めを塗り込み、さらに化粧下地で毛穴等を隠し、場合によりコントロールカラーを使い、ファンデーションを塗る。ニキビやシミはコンシーラーで隠し、パウダーで仕上げたあと、口紅に至る。女性の顔には、これだけの成分が乗っている。
【０００６】
特許文献１のマッサージ具では、貫通孔と留め部材に隙間がある。マッサージ効果ないし美顔効果を得るためには、ローラをかなりの回数顔の肌の上で転がすため、ローラに化粧の成分が移りやすく、その一部は隙間から中に入る。汗や皮膜の油脂も同様である。これが毎日繰り返されると、ローラの軸に付着した不要物により、ローラがうまく回転しなくなるおそれがある。炭素で形成したローラの遠赤外線効果を十分に発揮させる上で改善の余地がある。
【０００７】
本発明は、この課題に鑑みてなされたものであり、その目的は、遠赤外線効果を十分に発揮可能な美容器を提供することにある。
【課題を解決するための手段】
【０００８】
本発明のある態様は、美容器である。この美容器は、ハンドルと、ハンドルから突出する支持軸と、炭素成形体である回転体とを有し、回転体には支持軸が挿入される窪みが形成されている。この態様によれば、回転体に貫通孔が形成されておらず、肌の接触部分付近に開口がないので、内部に異物が侵入しにくい。炭素成形体である回転体が滑らかに回転し続けられるので、遠赤外線効果を長期にわたって十分に発揮できる。
【０００９】
本発明の別の態様もまた美容器である。この美容器は、ハンドルと、それぞれ前記ハンドルの一端側に設けられている第１支持軸および第２支持軸と、第１支持軸に取り付けられる第１回転体と、第２支持軸に取り付けられる第２回転体とを有する。第１回転体および第２回転体は、球状に形成された炭素成形体である。第１支持軸および第２支持軸は、ハンドルから離れるほど間隔が広くなるように設けられている。この態様によれば、第１回転体および第２回転体が肌を摘み上げたり押し広げたりするが、特に肌を摘み上げる際には、各回転体と肌との接触面積が増える。遠赤外線効果を広い範囲で得ることが可能になり、その効果を十分に発揮できる。また、摘み上げなどによる血流促進効果でさらなる美容効果を発揮できる。
【発明の効果】
【００１０】
以上のように、本発明の美容器によれば、遠赤外線効果を十分に発揮できる。
【図面の簡単な説明】
【００１１】
【図１】第１の実施形態における美容器の斜視図である。
【図２】第１の実施形態における美容器の上面図である。
【図３】第１の実施形態における美容器の使用状態を示す正面図である。
【図４】第１の実施形態における美容器の使用状態を示す側面図である。
【図５】図２のＡ−Ａ線における部分断面図である。
【図６】図２のＢ−Ｂ線における断面図である。
【図７】第１の実施形態におけるハンドルのベース体の部分上面図である。
【図８】第１の実施形態における保持部材を示す図である。
【図９】第１の実施形態における軸受けの斜視図である。
【図１０】第１の実施形態における美容器の他の構成を示す図である。
【図１１】第２の実施形態における美容器の断面図である。
【図１２】第３の実施形態における美容システムの概略構成図である。
【図１３】第３の実施形態における美容器の部分断面図である。
【図１４】第４の実施形態における美容器の斜視図である。
【図１５】図１５（ａ）は第４の実施形態における美容器の上面図、図１５（ｂ）は正面図、図１５（ｃ）は底面図である。
【図１６】図１５（ａ）のＣ−Ｃ線における断面図である。
【図１７】図１５（ａ）のＤ−Ｄ線における部分断面図である。
【図１８】第５の実施形態における美容器の斜視図である。
【図１９】図１９（ａ）および（ｂ）は、変形例１における美容器を示す概略図である。
【図２０】図２０（ａ）および（ｂ）は、変形例２における美容器を示す概略図である。
【発明を実施するための形態】
【００１２】
以下の実施形態では、同一の構成要素に同一の符号を付し、重複する説明を省略する。また、各図面では、説明の便宜のため、構成要素の一部を適宜省略する。
【００１３】
［第１の実施形態］
図１は第１の実施形態における美容器１の斜視図、図２は美容器１の上面図、図３は美容器１の使用状態を示す正面図、図４は美容器１の使用状態を示す側面図である。
【００１４】
美容器１は、一対のローラ１０およびハンドル２０を有する。各ローラ１０は、球状に形成された回転体であり、ハンドル２０の一端に設けられている二股部２０１に回転可能に支持されている。美容器１の使用者は、ハンドル２０を持って、ローラ１０を顔や腕などの肌３０に押しあてる。その際、使用者は、肌３０に沿ってハンドルを動かす。一対のローラ１０がそれぞれ回転すると、ローラ１０の間で肌３０が摘み上げられたり押し広げられたりする。より具体的には、図３に示す状態で、ローラ１０を肌３０に押し当てながら矢印Ｒ方向にハンドルを動かすと、２つのローラ１０の間で肌３０が摘み上げられる。矢印Ｌ方向にハンドルを動かすと、２つのローラ１０により肌３０が押し広げられる。逆に、ハンドル２０を肌３０の表面に対して垂直に立つように持ち、矢印Ｒ方向に動かすと肌３０が押し広げられ、矢印Ｌ方向に動かすと肌３０が摘み上げられる。このように美容器１用いて、肌３０を摘み上げたり押し広げたりしてマッサージできる。
【００１５】
肌３０は、ローラ１０によりマッサージされて、血流およびリンパ液の循環が促される。また、肌３０は、ローラ１０に摘み上げられたり押し広げられたりすることで、リフトアップされて張りがでる。このように、美容器１により、いろいろな美容効果を得ることができる。
【００１６】
ローラ１０は、表面に多数の三角形の面１０１を有する球状に形成されている。ただし、ローラ１０は、球状以外、楕円体形状、円柱形状などであってもよい。また、面１０１は、三角形以外の多角形や円形などであってもよい。
【００１７】
ローラ１０は、炭素を含む材料により形成された炭素成形体である。原材料は、黒鉛の炭素粉にバインダが添加されたものである。この原材料を加圧して球状に成形し、高温で長時間かけて焼成することでローラ１０ができる。焼成することで、炭素粉同士が結合して結晶化、すなわち黒鉛化と定形炭素化がなされる。また、焼成時の昇温中にバインダが揮発することにより、本出願人の試作品において、ローラ１０の約９９％以上を炭素とすることができている。
【００１８】
炭素の特性により、ローラ１０は熱伝導率および放射率が高い。このため、ローラ１０は、美容器１の使用開始から短時間で肌３０と同程度の温度に温められ、遠赤外線の放射量が増える。ローラ１０から肌３０に遠赤外線が放射されると、肌３０の血流およびリンパ液の循環が促進される。その結果、美容効果が得られる。
【００１９】
ローラ１０を作る最終過程で、ダイヤモンドライクカーボン（ＤＬＣ）のＤＬＣ膜を表面に付着させる。ＤＬＣ膜の厚さは、２〜４μｍとする。ＤＬＣ膜は、プラズマＣＶＤまたはＰＶＤなどにより結晶構造の炭素として形成されるものであり、ローラ１０との密着性がよい。また、ＤＬＣ膜は、硬質であり、ローラ１０の損傷からの保護に適している。
【００２０】
ローラ１０は、回転軸Ｘを中心に回転可能にハンドル２０に支持されている。ローラ１０の回転軸Ｘに直交する方向における最大径Ｌは４０ｍｍとする。ローラ１０の最大径Ｌは、美容器１を顔や腕に使用するために、本出願人による実験結果では、１５〜６０ｍｍが好ましく、３２〜５５ｍｍがより好ましく、３８〜４５ｍｍが特に好ましい。ローラ１０の最大径Ｌが１５ｍｍより小さいと、ローラ１０と肌３０との接触領域が小さくなり、美容器１による十分な作用効果が得られない場合がある。一方、ローラ１０の最大径Ｌが６０ｍｍより大きいと、身体の部位によっては、ローラ１０を押しあてて回転させることが難しくなる場合がある。
【００２１】
一対のローラ１０の間隔Ｄは、１１．５ｍｍとする。ローラ１０の間隔Ｄは、肌３０の摘み上げまたは押し広げを適切に行うために、８〜２５ｍｍが好ましく、９〜１５ｍｍがより好ましく、１０〜１３ｍｍが特に好ましい。間隔Ｄが８ｍｍより小さいと、肌３０を摘み上げる力が強くなりすぎたり、押し広げにくくなる場合がある。一方、間隔Ｄが２５ｍｍより大きいと、肌３０を摘み上げにくくなる場合がある。
【００２２】
一対のローラ１０は、それぞれ、ハンドル２０の一端側に設けられている後述の支持軸に取り付けられている。２つの支持軸は、ハンドル２０から離れるほど間隔が大きくなるように設けられており、ローラ１０の回転軸Ｘの開き角αを形成する。ローラ１０の回転軸Ｘの開き角αは、７５度とする。この角度は、ローラ１０が肌３０を摘み上げまたは押し広げやすくなるように、５０〜１１０度が好ましく、５０〜９０度がより好ましく、６５〜８０度が特に好ましい。開き角αが５０度より小さいと、肌３０を摘み上げる力が強くなりすぎたり、押し広げにくくなる場合がある。一方、開き角αが１１０度より大きいと、肌３０を摘み上げにくくなる場合がある。
【００２３】
ローラ１０は、回転軸Ｘがハンドル２０の中心線Ｙに対して傾斜するように設けられている。ハンドル２０の中心線Ｙは、美容器１の正面視でハンドル２０の最も厚い部分の外周接線Ｚの間の角度を２分する線と平行な線である。ローラ１０の回転軸Ｘとハンドル２０の中心線Ｙとの傾斜角βは、９５度とする。傾斜角βは、使用者がハンドル２０を持ってローラ１０を肌３０に押しあてて回転させやすい角度とする。
【００２４】
図５は、図２のＡ−Ａ線における部分断面図である。ハンドル２０は、ベース体２０２、上カバー体２０４、下カバー体２０６を有する。これらは樹脂材料により形成されている。また、上カバー体２０４および下カバー体２０６は、表面に金属メッキ層が形成されている。
【００２５】
ベース体２０２は、上カバー体２０４と下カバー体２０５との間に収容されている。上カバー体２０４は、ネジ２１０によりベース体２０２に固定されている。下カバー体２０６は、上カバー体２０４の外周縁に嵌め込まれている。
【００２６】
ベース体２０２の外周には、リング状のパッキン２１２が二色成形によりベース体２０２と一体に設けられている。パッキン２１２の外周縁は、ベース体２０２が上カバー体２０４および下カバー体２０６により覆われた状態で、上カバー体２０４の内周面に圧接して、ベース体２０２と上カバー体２０４との間の空間をシールする。ベース体２０２と上カバー体２０４との間にセンサなどの電子部品を設けた場合であっても、パッキン２１２により内部空間への浸水が防がれ、電子部品が保護される。
【００２７】
図６は、図２のＢ−Ｂ線における断面図である。ハンドル２０には、ローラ１０を回転可能に支持する支持軸５０が設けられている。支持軸５０は、金属材料で形成されており、基端側がハンドル２０に保持され、ハンドル２０から突出する先端側がローラ１０を回転可能に支持する。
【００２８】
図７は、第１の実施形態におけるハンドル２０のベース体２０２の部分上面図であり、ハンドル２０の二股部２０１に対応する部分が示されている。ベース体２０２には、一対の支持筒２２１が形成されている。支持筒２２１は、ローラ１０の回転軸Ｘに沿って貫通する軸孔２２２が形成されている。軸孔２２２には、支持軸５０の基端側が挿入される。ベース体２０２には、支持軸５０が軸孔２２２に挿入された状態で、支持軸５０を保持する保持部材２３０が、図６に２点鎖線で示す位置に取り付けられる。
【００２９】
図８は、第１の実施形態における保持部材２３０であり、ベース体２０２に取り付けられた状態でベース体２０２側となる面からみた図である。保持部材２３０は、樹脂材料により形成されており、保持部２３１、ネジ孔２３２を有する。保持部材２３０は、ネジ孔２３２を通ってベース体２０２の固定孔２２３に挿入されるネジにより、ベース体２０２に固定される。保持部２３１は、半円筒状に形成されており、保持部材２３０がベース体２０２に固定された状態で、支持軸５０の基端部側を保持する。
【００３０】
図６に示すように、支持軸５０は、ハンドル２０に保持される基端部側に、他の部分よりも径が小さい被保持部５０１が形成されている。また、被保持部５０１よりも径が大きい抜け止め部５０２が形成されている。支持軸５０は、基端部側がベース体２０２の軸孔２２２に挿入され、被保持部５０１が保持部材２３０の保持部２３１に保持される。この状態で、抜け止め部５０２が保持部材２３０に引っかかることで、支持軸５０がハンドル２０から抜けなくなる。
【００３１】
ハンドル２０のローラ１０側の端部には、キャップ２４０が被せられている。キャップ２４０は、樹脂材料により円筒状に形成されており、ベース体２０２と上カバー体２０４との間、およびベース体２０２と下カバー体２０６との間をシールする。また、一方の開口が支持軸５０のフランジ部５０５に嵌ることで、支持軸５０のがたつきを低減する。
【００３２】
支持軸５０は、ベース体２０２の軸孔２２２の内部に位置するように形成されている凹部５０３に、シールリング５０４が取り付けられている。シールリング５０４は、支持軸５０の外周面と軸孔２２２の内周面との間をシールする。ハンドル２０は、キャップ２４０およびシールリング５０４により二重にシールされている。
【００３３】
支持軸５０は、ハンドル２０から突出する支持部５０６に、軸受け６０が取り付けられる。支持部５０６の先端部には、抜け止めリング５０７が設けられている。抜け止めリング５０７は、支持軸５０に形成された溝に嵌められる。軸受け６０は、抜け止めリング５０７に引っかかることで、支持軸５０から抜けなくなる。軸受け６０は、支持軸５０に取り付けられた状態で、内周面が支持軸５０の外周面に摺接して回転可能な状態になっている。
【００３４】
図９は、第１の実施形態における軸受け６０の斜視図である。軸受け６０は、樹脂材料により円筒状に形成されている。軸受け６０は、係止爪６０１、支持片６０２を有する。係止爪６０１は、支持片６０２の一端から軸受け６０の外方に突出するように形成されている。支持片６０２は、係止爪６０１とは反対側の端部が軸受け６０の側壁に連結されている。支持片６０２は、係止爪６０１が軸受け６０の内側に向かって押されると、撓むように弾性変形する。
【００３５】
図６に示すように、支持軸５０は、軸受け６０が取り付けられた状態で、軸ホルダ７０に挿入される。軸ホルダ７０は、窪み１１０に固定されている。窪み１１０は、開口側とは反対の奥側端部の周縁に、Ｒ部１１１が形成されている。Ｒ部１１１を形成して奥側端部を曲面とすることで、窪み１１０の奥側端部の周縁に応力が集中するのを防ぎ、窪み１１０からの割れの発生を低減することができる。
【００３６】
軸ホルダ７０は、樹脂材料により円筒状に形成されており、凹部７０１、係止部７０２、および押さえ部７０４を有する。凹部７０１は、軸ホルダ７０の内周面から外周面側に向かって窪むよう形成されている。係止部７０２は、窪み１１０の開口側の端部から内側に向かって突出する。凹部７０１と係止部７０２との内径差により、段差部７０３が形成される。段差部７０３は、軸ホルダ７０に挿入される軸受け６０の係止爪６０１を係止する。押さえ部７０４は、係止部７０２とは反対側の端部から内側に向かって突出する。係止部７０２および押さえ部７０４の内径は、軸受け６０の外径に等しい。このため、軸ホルダ７０に軸受け６０が挿入された状態で、係止部７０２および押さえ部７０４の内周面は、軸受け６０の外周面に接する。ローラ１０は、回転軸方向において異なる位置で軸受け６０が軸ホルダ７０に支持されることで、回転軸方向に対するがたつきが低減する。
【００３７】
支持軸５０および軸受け６０が軸ホルダ７０に挿入される際に、軸受け６０の係止爪６０１は、軸受け６０の内側に変位して軸ホルダ７０の係止部７０２を通り抜ける。また、係止爪６０１は、軸ホルダ７０の係止部７０２を通り抜けて凹部７０１に入ると、軸受け６０の外側に突出する元の位置に戻る。この状態で、軸受け６０の係止爪６０１は段差部７０３に係止され、支持軸５０および軸受け６０は軸ホルダ７０から抜けなくなる。
【００３８】
軸ホルダ７０に支持軸５０および軸受け６０が挿入されると、ローラ１０がハンドル２０に回転可能に支持された状態となる。ローラ１０が肌に押しあてられて回転すると、窪み１１０に固定されている軸ホルダ７０もローラ１０とともに回転する。また、軸受け６０は、内周面が支持軸５０の外周面に摺接して回転可能に設けられており、ローラ１０とともに支持軸５０に対して回転する。
【００３９】
また、ローラ１０の軸ホルダ７０と、ハンドル２０のキャップ２４０との間に、衝撃吸収部としてコイルばね８０が設けられている。コイルばね８０は、軸ホルダ７０をハンドル２０とは反対方向に押圧している。ローラ１０が何かに当たったり、床に落ちたりした場合には、コイルばね８０が圧縮してローラ１０に与えられる衝撃を吸収し、ローラ１０が受けるダメージを軽減する。なお、コイルばね８０は、軸受け６０とハンドル２０のキャップ２４０との間に設けられてもよい。衝撃吸収部としては、弾性変形して衝撃を吸収可能な弾性部材であれば、コイルばね８０以外のゴム、発砲スチロール、ウレタンシートであってもよい。
【００４０】
以上で説明したように、第１の実施形態における美容器１では、窪み１１０の軸ホルダ７０に挿入される支持軸５０によりローラ１０が支持される。ローラ１０には貫通孔が形成されておらず、肌の付着物などが侵入して回転が阻害されることはない。このため、ローラ１０は安定して回転し続けることが可能になり、遠赤外線効果を長期にわたり、安定的かつ十分に発揮できる。また、ローラ１０の窪み１１０に軸ホルダ７０を設けることで、窪み１１０において軸受け６１を直接保持する場合に比べて、ローラ１０の内部に欠けや削れ、割れの発生が低減し、より長期にわたって美容器１を使用可能になる。美容器１によれば、２つのローラ１０を肌に押しあてて回転させると、肌が摘み上げられたり押し広げられたりする。遠赤外線効果に加えて、摘み上げおよび押し広げによる血流促進効果や、リフトアップ効果なども同時に得ることができる。
【００４１】
なお、図１０に示す美容器１Ａのように構成して、ローラ１０のがたつきを低減してもよい。美容器１Ａでは、軸受け６０に第１突起６０５および第２突起６０６が形成されている。これらの突起は、回転軸方向において異なる位置で、軸受け６０の外周面から外方に向かって突出する。第１突起６０５は、軸受け６０が軸ホルダ７０に挿入された状態で、軸ホルダ７０の係止部７０２に係止される。第１突起６０５はおよび第２突起６０６は、それぞれ軸ホルダ７０の内周面に接し、ローラ１０の回転軸方向に対するがたつきを低減する。すなわち、軸受け６０および軸ホルダ７０に、回転軸方向において異なる位置で互いに接する部分を設けることで、がたつきを低減できる。
【００４２】
［第２の実施形態］
図１１は、第２の実施形態における美容器２の断面図である。ローラ９０は、ベース部９１およびカバー部９２を有する。ベース部９１およびカバー部９２は、第１の実施形態におけるローラ１０と同様の材料および方法により形成された炭素成形体であり、結合されて１つの球体となるように、それぞれが半球状に形成されている。また、ベース部９１およびカバー部９２の表面には、ＤＬＣ膜が形成されている。
【００４３】
ベース部９１には、軸ホルダ７５が固定される軸孔９１０が形成されている。軸孔９１０は、連通する大径部９１１および小径部９１２を有し、ベース部９１を貫通する。軸孔９１０に固定される軸ホルダ７５は、円筒部７５１およびフランジ部７５２を有する。軸ホルダ７５は、円筒部７５１が小径部９１２に挿入されて、フランジ部７５２が大径部９１１と小径部９１２との段差で係止された状態で、軸孔９１０に固定される。
【００４４】
軸孔９１０の小径部９１２に固定された軸ホルダ７５には、支持軸５０が挿入される。支持軸５０は、軸ホルダ７５を貫通して、先端部に抜け止めリング５０７が取り付けられる。抜け止めリング５０７は、支持軸５０の先端部に形成された溝に嵌め込まれる。支持軸５０は、抜け止めリング５０７が軸ホルダ７５に引っかかることで、軸ホルダ７５から抜けなくなる。
【００４５】
カバー部９２は、軸孔９１０の小径部９１２と同じ径の凹部９２１が形成されている。凹部９２１は、軸孔９１０と軸ホルダ７５を収容する窪みを形成する。凹部９２１は、開口側とは反対の奥側端部の周縁に、Ｒ部９２２が形成されている。Ｒ部９２２により応力集中が防がれ、割れの発生が低減する。
【００４６】
カバー部９２は、軸ホルダ７５に支持軸５０が挿入され、凹部９２１に軸ホルダ７５が嵌った状態でベース部９１に固定される。ベース部９１とカバー部９２とのつなぎ目には、接合剤を塗布して乾燥後に研磨して表面を滑らかにする。
【００４７】
美容器２には、ベース部９１の軸孔９１０の大径部９１１と小径部９１２との段差面と、ハンドル２０のキャップ２４０との間に、衝撃吸収部としてコイルばね８０が設けられている。コイルばね８０は、ローラ９０をハンドル２０とは反対方向に押圧する。コイルばね８０は、ローラ９０に衝撃が加えられた場合には圧縮し、ローラ９０が受けるダメージを軽減する。コイルばね８０は、軸ホルダ７５のフランジ部７５２とハンドル２０のキャップ２４０との間に設けられてもよい。
【００４８】
以上で説明したように、第２の実施形態における美容器２は、ローラ９０がベース部９１およびカバー部９２のふたつの部分からなる。ベース部９１の軸孔９１０は、カバー部９２に覆われるため、ローラ９０には貫通孔が形成されない。したがって、第１の実施形態における美容器１と同様の効果が得られる。
【００４９】
なお、ベース部９１に固定された軸ホルダ７５に支持軸５０を挿入して抜け止めリング５０７を取り付け可能であれば、ベース部９１およびカバー部９２の形状は、それぞれ上記実施形態とは異なる形状であってもよい。また、ローラ９０は、３つ以上の部分から構成されてもよい。
【００５０】
［第３の実施形態］
図１２は、第３の実施形態における美容システム１００の概略構成図である。美容システム１００は、美容器３、アダプタ４を有する。美容器３は、ローラ１０の内部に発熱体が設けられている。美容器３は、アダプタ４から電力が供給されることで、発熱体により温められたローラ１０からの遠赤外線放射量が増える。
【００５１】
美容器３のハンドル２０には、アダプタ４から電力供給を受ける受電部として、第１受電端子２５１および第２受電端子２５２が設けられる。また、美容器３には、第１受電端子２５１および第２受電端子２５２から、各ローラ１０を支持する支持軸５０に通じる第１導線２６１および第２導線２６２が設けられる。
【００５２】
アダプタ４は、第１給電端子４１、第２給電端子４２、電源ケーブル４５を有する。第１給電端子４１および第２給電端子４２は、電源ケーブル４５に接続されている。アダプタ４に美容器３が置かれると、第１給電端子４１と第１受電端子２５１とが接続し、第２給電端子４２と第２受電端子２５２とが接続する。
【００５３】
図１３は、美容器３の部分断面図である。美容器３は、軸ホルダ７０がニクロムで形成された発熱体となっている。軸ホルダ７０は、カンタル、白銅合金などで形成されてもよく、その一部が発熱体であってもよい。
【００５４】
支持軸５０には、第１電極５１１および第２電極５１２が外周面から露出する。支持軸５０は、第１電極５１１および第２電極５１２以外が絶縁性材料により形成される。第１電極５１１には、第１導線２６１が接続される。また、第２電極５１２には、第２導線２６２が接続される。
【００５５】
軸受け６０には、第１導通部６１１および第２導通部６１２が設けられている。これらは、それぞれ軸受け６０の内周面側および外周面側の両方に露出する。第１導通部６１１は、少なくとも一部が常に第１電極５１１に接触し、第１電極５１１と軸ホルダ７０の押さえ部７０４とを電気的に接続する。また、第２導通部６１２は、少なくとも一部が常に第２電極５１２に接触し、第２電極５１２と軸ホルダ７０の係止部７０２とを電気的に接続する。
【００５６】
美容器３がアダプタ４に置かれると、第１受電端子２５１および第２受電端子２５２を通じて美容器３に給電される。美容器３では、軸ホルダ７０が通電されることで温度が上昇し、ローラ１０を内部から加熱する。ローラ１０は、軸ホルダ７０に加熱されて遠赤外線の放射量が増える。このため、美容器３は、遠赤外線効果が増大してより高い美容効果が得られる。
【００５７】
以上で説明したように、第３の実施形態における美容器３および美容システム１００によれば、内部の発熱体を加熱してローラ１０を温めることで、遠赤外線効果を高めることができる。また、第１の実施形態および第２の実施形態と同様に、ローラ１０は安定して回転し続けることができるため、より高い美容効果を発揮できる。
【００５８】
なお、美容器３のハンドル２０には、軸ホルダ７０に通電する電池と、電池から軸ホルダ７０への通電状態を切り替えるスイッチとを設けてもよい。使用者がスイッチを操作して軸ホルダ７０によりローラ１０を加熱することができる。また、第２の実施形態における美容器２において、軸ホルダ７５を発熱体としてもよい。この場合には、第３の実施形態における美容器３と同様に、第１受電端子２５１、第２受電端子２５２、第１導線２６１、および第２導線２６２をハンドル２０に設け、第１電極５１１および第２電極５１２を支持軸５０に設ける。
【００５９】
［第４の実施形態］
図１４は、第４の実施形態における美容器５の斜視図である。図１５（ａ）は美容器５の上面図、図１５（ｂ）は正面図、図１５（ｃ）は底面図である。
【００６０】
美容器５は、一対のローラ１１およびハンドル２１を有する。各ローラ１１は、第１の実施形態におけるローラ１０と同様の材料および方法により形成された炭素成形体であり、ハンドル２１に回転可能に支持されている。ローラ１１の表面には、先端部分から放射状に多数の溝が形成されている。第１の実施形態と同様に、表面に多数の面が形成されてもよい。ハンドル２１は、使用者に把持される本体部２１１、本体部２１１の一端から分岐する二股部２１３を有する。二股部２１３には、ローラ１０を回転可能に支持する支持軸が設けられている。ローラ１１の径、間隔、回転軸の開き角、回転軸がハンドル２１の中心線Ｙに対する傾斜角は、第１の実施形態と同様である。
【００６１】
図１６は、図１５（ａ）のＣ−Ｃ線における断面図である。ハンドル２１は、上カバー体２１５、ハンドルコア２１７、下カバー体２１８を有する。ハンドル２１の製造方法を説明する。まず、上カバー体２１５を樹脂で成形する。上カバー体２１５には、ハンドルコア２１７を位置決めする十字ボス２１６を設ける。次に、二色成形によりハンドルコア２１７を上カバー体２１５と一体に成形する。さらに、支持軸５１を金型に装着して、下カバー体２１８を一体に成形する。
【００６２】
図１７は、図１５（ａ）のＤ−Ｄ線における部分断面図である。支持軸５１は、ハンドル２１の下カバー体２１８に固定されている。支持軸５１は、他の部分より径が大きい大径部５１３を有する。大径部５１３には、Ｄカット面５１４が形成されている。Ｄカット面５１４を含む大径部５１３が下カバー体２１８と係り合うことで、支持軸５１がハンドル２１に固定される。下カバー体２１８は、ローラ１１に形成されている窪み１１３の開口周縁部１１４を覆うスカート部２１９を有する。開口周縁部１１４は、外部に露出しないので欠けや割れが発生しにくくなる。また、ローラ１１の内部への異物の侵入が低減する。スカート部２１９は、上カバー体２１５またはハンドルコア２１７に形成されてもよい。
【００６３】
ローラ１１の窪み１１３は、円柱状に窪む穴であり、支持軸５１が挿入される。窪み１１３は、開口側とは反対の奥側端部に、支持軸５１の軸方向に直交する断面における直径が側面１１５から底面１１６に向かって徐々に小さくなるよう傾斜するテーパ面１１７が形成されている。奥側端部への応力集中が抑えられ、窪み１１０から生じる割れの発生が低減する。第１の実施形態と同様に、奥側端部を曲面としてもよい。
【００６４】
窪み１１３には、軸ホルダ７１が固定される。軸ホルダ７１は、樹脂により円筒状に形成されており、接着剤により窪み１１３に固定される。軸ホルダ７１の外周面には、接着剤の漏れを防ぐ不図示の溝が形成されている。軸ホルダ７１の内側には、後述の軸受け６１の係止爪６０７が嵌る凹部７０５が形成されている。
【００６５】
支持軸５１には、軸受け６１が取り付けられる。軸受け６１は、外側に突出する係止爪６０７を有するすべり軸受けである。支持軸５１の先端には、軸受け６１が挿入された状態で抜け止めリング５０８が取り付けられる。支持軸５１とともに軸受け６１が軸ホルダ７１に挿入されると、係止爪６０７が軸ホルダ７１の凹部７０５に嵌り、軸受け６１のフランジ部６０８が軸ホルダ７１の開口部に嵌る。ローラ１１が肌に押しあてられて回転すると、軸ホルダ７１とともに軸受け６１も支持軸５１に対して回転する。
【００６６】
以上で説明したように、第４の実施形態における美容器５によれば、ハンドル２１のスカート部２１９がローラ１１の窪み１１３の開口周縁部１１４を覆うので、ローラ１１の欠けや割れ、内部への異物の侵入が低減する。これにより、ローラ１１が長寿命化して安定的に回転し続けられるので、遠赤外線および摘み上げや押し広げによる美容効果を長期にわたって発揮できる。軸受け６１とハンドル２１との間に衝撃吸収部を設けてもよい。落下時にローラ１１が受けるダメージを軽減し、より長期的に使用可能になる。
【００６７】
［第５の実施形態］
図１８は、第５の実施形態における美容器７の斜視図である。美容器７は、ローラ１２およびハンドル２２を有する。ローラ１２は、第１の実施形態におけるローラ１０と同様の材料および方法により形成された炭素成形体であり、ハンドル２２の不図示の支持軸が挿入される窪みが形成されている。ハンドル２２は、支持軸に取り付けられるローラ１２を回転可能に保持する。
【００６８】
美容器７の使用者は、ハンドル２２を持ってローラ１２を肌に押し当てて回転させる。ローラ１２が押し当てられた肌は、遠赤外線効果を受けながらマッサージされて血流が促進される。また、美容器７は、ローラ１２の先端部分Ｔを肌に押しあてて使うこともできる。この使用態様によれば、ローラ１２は肌に触れ続けることで熱を受けやすくなり、回転する場合より押しあてられた部分の温度上昇が早くなる。このため、遠赤外線効果を短時間で得られる。また、ローラ１２を回転させる場合とは異なるマッサージ効果を得ることもできる。
【００６９】
以上で説明したように、第５の実施形態における美容器７によれば、ローラ１２を肌にあてて回転させるだけでなく、先端部分Ｔを肌に押しあてて使うことも簡単にできる。いろいろな使用方法でマッサージ効果および遠赤外線効果を得ることができる。
【００７０】
以上、本発明について、実施形態をもとに説明した。この実施形態は例示であり、それらの各構成要素あるいは各処理プロセスの組合せにいろいろな変形例が可能なこと、また、そうした変形例も本発明の範囲にあることは当業者に理解されるところである。たとえば、ローラを１つまたは２つ備える構成を例示したが、美容器に設けられるローラの数は３つ以上であってもよい。また、各実施形態における構成は、ローラが炭素成形体以外の樹脂や金属で構成された美容器にも適用できる。さらに、ローラは、セラミック、ガラスなど、放射率が高く遠赤外線効果が得られる材料で形成されてもよい。
【００７１】
（変形例１）
図１９は、変形例１における美容器８を示す概略図である。図１９（ａ）は美容器８の上面図、図１９（ｂ）はその正面図である。美容器８は、一対のローラ１３およびハンドル２３を有する。各ローラ１３は、それぞれハンドル２３の一端側から突出する支持軸５３に取り付けられている。２つの支持軸５３は、ハンドル２３から離れるほど間隔が大きくなるように設けられている。各ローラ１３は、第１の実施形態におけるローラ１０と同様の材料および方法により形成された球状の炭素成形体である。支持軸５３はハンドル２３の他端側に向かって延びるように設けられており、ローラ１３の回転軸Ｘとハンドル２０の中心線Ｙとの傾斜角βは９０度未満とされている。この構成により、中心線Ｙが肌の表面にほぼ平行になるようハンドル２３を持ち、図１９（ｂ）に示す矢印Ｌ方向に動かすと、２つのローラ１３により肌が摘み上げられる。また、矢印Ｒ方向に動かすと、２つのローラ１３により肌が押し広げられる。傾斜角βを９０度未満としても、ローラ１３による肌の摘み上げや押し広げによる美容効果を得ることができる。
【００７２】
（変形例２）
図２０は、変形例２における美容器９を示す概略図である。図２０（ａ）は美容器９の上面図、図２０（ｂ）はその正面図である。美容器９は、４つのローラ１４およびハンドル２４を有する。各ローラ１４は、第１の実施形態におけるローラ１０と同様の材料および方法により形成された球状の炭素成形体である。ハンドル２４の一端側から突出する２つの支持軸５４に、それぞれローラ１４が取り付けられている。また、ハンドル２４の他端側から突出する２つの支持軸５４に、それぞれローラ１４が取り付けられている。各支持軸５４は、ローラ１４に設けられている窪みに挿入され、ローラ１４を回転可能に支持する。ハンドル２４の一端側の２つの支持軸５４は、ハンドル２４から離れるほど間隔が広くなるように設けられている。他端側の２つの支持軸５４も同様に、ハンドル２４から離れるほど間隔が広くなるように設けられている。美容器９は、ハンドル２３の一端側の２つのローラ１４および他端側の２つのローラ１４のそれぞれで、肌を摘み上げたり押し広げたりできる。この構成により、同時に２箇所をマッサージできるので、より高い美容効果が得られる。また、一方のローラ対だけを使用してもよく、多様な使い方ができる。なお、一端側のローラ１４および他端側のローラ１４は、少なくとも一方の傾斜角βが９０度未満であってもよい。同様に高い美容効果が得られる。
なお、変形例１や変形例２におけるローラ形状は球状に限らない。例えば、回転楕円体状であってもよく、風船を膨らませた形状や洋ナシ形状であってもよい。
【符号の説明】
【００７３】
１、１Ａ、２、３、５、７、８、９…美容器、  ４…アダプタ、  １０、１１、１２、１３、１４…ローラ、  ２０、２１、２２、２３、２４…ハンドル、  ５０、５１、５３、５４…支持軸、  ６０、６１…軸受け、  ７０、７１、７５…軸ホルダ、  ８０…コイルばね、  ９１…ベース部、  ９２…カバー部、  １００…美容システム、  １１０、１１３…窪み、  ５０７、５０８…抜け止めリング、  ６０１、６０７…係止爪、  ７０３…段差部、  ７０４…押さえ部、  ９１０…軸孔。
【図１】
2018171333.tif 000003
【図２】
2018171333.tif 000004
【図３】
2018171333.tif 000005
【図４】
2018171333.tif 000006
【図５】
2018171333.tif 000007
【図６】
2018171333.tif 000008
【図７】
2018171333.tif 000009
【図８】
2018171333.tif 000010
【図９】
2018171333.tif 000011
【図１０】
2018171333.tif 000012
【図１１】
2018171333.tif 000013
【図１２】
2018171333.tif 000014
【図１３】
2018171333.tif 000015
【図１４】
2018171333.tif 000016
【図１５】
2018171333.tif 000017
【図１６】
2018171333.tif 000018
【図１７】
2018171333.tif 000019
【図１８】
2018171333.tif 000020
【図１９】
2018171333.tif 000021
【図２０】
2018171333.tif 000022